【事件の表示】
　平成　６年特許願第　５９０８２号「投写型表示装置」拒絶査定不服審判事件〔平成　７年１０月２０日出願公開、特開平　７−２７０７１９〕について、次のとおり審決する。
【結　論】
　本件審判の請求は、成り立たない。
【理　由】
１．手続の経緯・本願発明
　本願は、平成６年３月２９日の特許出願であって、その請求項１及び２に係る発明は、平成１６年１月２８日付けで補正された明細書の特許請求の範囲請求項１及び２に記載された事項によりそれぞれ特定されるものであるところ、請求項１に係る発明は次のとおりである。
「【請求項１】　白色光を射出するランプと、前記ランプの射出光を集光する楕円面鏡と、前記ランプの射出光の集光点付近に配置した照明系の絞りと、絞り開口を透過した光束を平行化するコリメータレンズと、透明と散乱の２状態に変化するライトバルブと、ライトバルブ上の画像を拡大投写する投写レンズと、前記投写レンズの入射瞳上に前記ライトバルブの透過光を集光するフィールドレンズとを備え、前記照明系の絞り径と投写レンズの絞り径を変化させる絞り開口径可変手段を有し、前記照明系の絞りａと、前記投写レンズの入射瞳径ｂと、前記コリメータレンズの焦点距離ｆ１と、前記フィールドレンズの焦点距離ｆ２との関係が、
　　　　ａ≧ｂ・（ｆ１／ｆ２）　　　　　　　　　　　　　　(Ａ)
となる絞り径を有することを特徴とする投写型表示装置。」（以下、「本願発明」という。）
　
２．先願明細書
　これに対して、原査定の拒絶の理由に引用された特願平６−３３６８７０号（特開平８−１０６０９０号）が優先権主張の基礎とする特願平５−３３１７８６号の願書に最初に添付した明細書又は図面（以下、「先願明細書」という。）には次の記載がある。
「【０００１】【産業上の利用分野】
　本発明は映像信号に基づく画像表示を行なう表示装置に関し、特に画像を反射型もしくは透過型のスクリーン上に表示させる投射型の表示装置に関する。
【０００２】【従来の技術】
　現在、プラズマ発光パネルや液晶パネルがＣＲＴ表示装置に代わる小型で軽量な平面表示装置として注目されている。この平面表示装置は表示動作において自ら光を放つ自発光型のものと、表示動作において独立した光源から入射する光の透過率を制御する透過率制御型のものとにほぼ分類できる。例えばプラズマ発光パネルは自発光型に属し、液晶パネルは透過率制御型に属する。特に、この液晶パネルは次世代の表示装置の本命として考えられ、その技術開発が様々な実用分野で進められている。
【０００３】一般的な液晶パネルは、液晶デバイスハンドブックで紹介されているツイステッドネマティック型に代表されるように、偏光板を使用して線偏光された光を複屈折性または旋光性を示す液晶層に入射させることを特徴とする。しかし、こうした液晶パネルは、光源から得られる光の明るさが偏光板を通過する際に約１／２に低下するという欠点を有する。
【０００４】最近では、上述した偏光板を必要としない液晶パネルが開発されている。この液晶パネルは、液晶材料が高分子樹脂中に含有される高分子分散型あるいは微粒子が液晶材料中に含有される微粒子分散型の液晶層を透明な１対の電極基板間に有し、この液晶層に入射した光線の空間的な伝搬方向を変調させる光変調素子として機能する。この場合、光源光の利用効率は偏光板を用いた装置よりも向上される。
【０００５】高分子分散型液晶層は、例えば電圧が印加されない電極間の画素領域において入射光線を散乱させる乳白色の光散乱状態に設定され、電圧が印加される電極間の画素領域において入射光線が散乱しにくい透明な光透過状態に設定される。このため、各画素領域の散乱性がその透過光および反射光の強度を映像信号に応じて変化するよう制御され、これら透過光および反射光のいずれか一方が投射光学系によりスクリーンに導かれる。
【０００６】微粒子分散型液晶層の機能は、高分子型液晶層のそれと基本的に同様である。
【０００７】また、この他の表示装置として、例えばＳＩＤ９３ダイジェスト１０１２ページ以降にマイクロ・ミラー・デバイス（ＤＭＤ）として紹介されている。マイクロ・ミラー・デバイスは、２次元マトリクス状に配置されたマイクロミラーの角度を個々に変化させることにより、反射光線の方向を制御し、所望の方向に反射された反射光が投射光学系によりスクリーンに導かれる。マイクロ・ミラー・デバイスも、入射光線の空間的な伝搬方向を変調させるという点で微粒子分散型液晶層や高分子分散型液晶層と同様に機能する。
【０００８】図８は、従来の投射型表示装置の構成を概略的に示す。光源部８０１は、光源となるランプ８０２およびこの光源からの光を集束させて平行光線にするコリメータ光学系８０３を有する。液晶パネル８０４はコリメータ光学系８０３から入射する平行光線の空間的な伝搬方向を変調するために高分子分散型液晶層を有し、映像信号に応じて駆動回路８１０により駆動される。投射光学系８０６はある一定の角度範囲において液晶パネル８０４の透過光を取り出す絞りユニット８０５を有し、取り出された透過光をスクリーンに投射する。これにより、スクリーン上に映像信号に対応する光強度分布の画像が得られる。
【０００９】【発明が解決しようとする課題】
　ところで、スクリーン上に表示される表示画像のコントラスト比は、液晶パネル８０４から出射される光のうちで表示に使用される光線の角度分布の大きさが小さいほど向上する。また、スクリーンに表示される表示画像の明るさは、液晶パネル８０４から出射される出射光線のうちで表示に使用される光線の角度分布の大きさが大きいほど向上する。すなわち、表示画像のコントラスト比と明るさとは互いに相反する関係にある。
【００１０】このため、特開平５−２１６００４号、特開平５−１８８３４５号等は、液晶パネル８０４から出射される出射光線を絞る絞り８０５の絞りサイズを可変できる構成とし、使用環境の明るさに応じて表示画像のコントラスト比と明るさとの関係を最適化する技術を開示する。
【００１１】しかしながら、コントラスト比と明るさとの関係が絞り８０５の絞りサイズを調整することによりを最適化されても、この最適化は表示画像のコントラスト比および明るさの両方を満足のいく程度に向上させることができない。
【００１２】本発明は、このような技術課題に鑑みなされたものであって、コントラスト比と明るさの両方に優れた表示画像が得られる表示装置を提供することを目的とする。
【００１３】【課題を解決するための手段】
　本発明によれば、光源からの光源光の光束を可変絞り手段を含む光源光学系と、映像信号に基づいて前記光源光学系からの光の空間的な伝搬方向を変調する変調素子と、前記変調素子からの光を投射する投射光学系と、前記可変絞り手段を制御する制御手段とを備えた表示装置が提供される。
【００１４】【作用】
　発明者は、変調素子に入射される光線の角度分布の大きさに表示画像のコントラスト比と明るさが大きく依存することを見い出して、本発明を達成した。
【００１５】この表示装置では、第１の絞り手段が光源からの光源光の光束を絞るために設けられ、制御手段が第１の絞り手段を制御する。これは、スクリーン上に表示される映像の明るさをコントラスト比を適切な値に維持して調整可能にする。
【００１６】ここで、本発明の理解を容易にするため、スクリーンに表示される映像の明るさとコントラスト比との関係を説明する。
【００１７】図５はランプから平行光線を得るコリメータ光源の一例を示す。このコリメータ光源は、ランプ５００、集束レンズ系５０１、絞り５０２、およびコンデンサレンズ５０３で構成される。
【００１８】実在するランプ５００の特徴の一つは、一点から光を放つような点発光体でないことである。すなわち、光は一定の面積を持ったランプの表面から放たれる。そこで、集束レンズ系５０１により形成されるランプ像５１０が半径Ｒの大きさを持つものとする。また、このランプ像５１０が変調素子側に光束として届く有効な面積は絞り５０２により制限される。この制限を受けたランプ像を光軸に垂直な円形で面積Ｓの面発光体５１２と考えると、この面発光体５１２の半径ｒは像位置に置かれた絞り５０２により決まる。
【００１９】コンデンサレンズ５０３は、この面発光体５１２の中心に焦点を持つ。すると、この面発光体５１２から放射された光束は、このコンデンサレンズ５０３を通ることで光軸に平行となる。しかし、中心以外の部分からの光束は光軸に平行とはならない。このように発光体が面積を持つことが変調素子へ入射する光束に角度分布をもたらす原因となる。
【００２０】図６はこの角度分布を持った入射光束を示す。ランプ像６１２の光軸上にあるａ点から凸レンズ６０３に入射する同族光線は、充分収差の小さい凸レンズ６０３を透過した後全て互いに平行となる。同様に、ランプ像６１２の端部であるｂ点からの同族光線も、凸レンズを透過した後互いに平行光線となる。しかし、これらはａ点からの光線と比較すると一定の角度θを持つことになる。この角度θは凸レンズ６０３にとっての像位置であるａ点とｂ点との距離に比例することから、像の半径ｒと凸レンズ６０３の後での分布角度θは比例する。この±θの分布角度を立体角Ωiとすると、このΩiはθがあまり大きくない範囲において次式（１）で表される。
【００２１】
　　　　　　　　 θ　　　　　　　　
　　　　　Ωi＝∫２πsinθdθ　≒　πθ2‥‥‥（１）　
　　　　　　　　 0
　従って、Ωiとランプ像６１２の面積は比例する。このため、絞り５０２を通過して変調素子に入射する光束強度Ｉiを考えると、絞りの半径ｒに対してｒ＜Ｒの範囲では、角度分布Ωi、光束強度Ｉiが強い意味での単調増加傾向を示すことが分かる。
【００２２】次に、変調素子に入射した光束強度Ｉiで角度分布Ωiと表示特性との関係を説明する。図７は変調素子への入射光とこの素子からの出射光との角度分布の関係を示す。単純化するため、入射光束の分布はその立体角度範囲Ωiのなかで一様でありそれ以外では０であるものとする。また、変調素子の散乱特性も、角度分布を持たない入射光束に対して立体角Ωpの範囲で一様に後方散乱するものとする。また、この散乱特性Ωpの大きさは、入射光束の分布Ωiよりも充分に大きくΩi＜Ωpであるとする。
【００２３】こうした条件の下では、光源側および出射側の絞りと表示特性との関係は以下のようになる。
【００２４】まず、入射光束の角度分布Ωiを光源側の絞りの状態を示すパラメータと考えてΩA1と表記する。これは次式（２）に示される。
【００２５】
　　　　　Ωi≡ΩA1‥‥‥（２）
　次に、変調素子が無散乱状態である場合に出射光束の角度分布Ωoが角度分布Ωoonであるとすると、この角度分布Ωoonは入射光束の角度分布Ωiをそのまま反映する。これは次式（３）に示される。
【００２６】
　　　　　Ωo＝Ωoon＝Ωi‥‥‥（３）
　また、変調素子が散乱状態である場合に出射光束の角度分布Ωoが角度分布Ωooffであるとすると、この角度分布Ωooffは図７に示されるように変調素子の散乱特性Ωpに入射光束の角度分布Ωiを重畳した形になるが、Ωi＜Ωpにより近似的にΩpとすることができる。これは次式（４）に示される。
【００２７】
　　　　　Ωo＝Ωooff≒Ωp‥‥‥（４）
　以上の出力光束は、出射側の絞りにより、一定の角度範囲ΩA2の部分のみ取り出され表示される。出射光束はΩoの範囲内で一様であるので、入射光束強度Ｉiに対する出射光束の強度Ｉoの関係はΩoとΩA2の比で決まる。これは次式（５）および（６）に示される。
【００２８】
　　　　　Ｉo＝（ΩA2／Ωo）・Ｉi（ΩA1＜Ωoの場合）‥（５）
　　　　　Ｉo＝Ｉi　（ΩA1≧Ωoの場合）‥（６）　　　　
　ここで、変調素子が散乱状態にある場合の出射光束強度Ｉonと無散乱状態にある場合の出射光束強度Ｉoffを比較すると、コントラスト比ＣＲが得られる。次式（７）および（８）は、（一般にΩA2＜Ωpより）ΩA2とΩA1の大小関係で場合分けしたものである。
【００２９】
　ΩA2≦ΩA1＜Ωpの場合　　　
　　ＣＲ＝Ｉon／Ｉoff＝（ＩiΩA2／ΩA1）／（ＩiΩA2／Ωp）
　　　　＝Ωp／ΩA1‥‥‥（７）　　　　
　ΩA1≦ΩA2＜Ωpの場合　　　
　　ＣＲ＝Ｉon／Ｉoff＝Ｉi／（ＩiΩA2／Ωp）　　
　　　　＝Ωp／ΩA2‥‥‥（８）　　
　すなわち、ΩA1かΩA2のどちらか大きな側をΩAとすると、コントラスト比ＣＲはΩAと散乱能力Ωpの比である。これは次式（９）に示される。
【００３０】
　　　　　ＣＲ＝Ωp／ΩA　　　　　‥‥‥（９）　　　　　
　ΩA1とΩA2の大きさの関係と、コントラスト比および出射拘束強度Ｉonを考える。　ΩA1≦ΩA2の場合、白表示の出射光束強度すなわちＩonは式（６）より一定であり、式（９）よりコントラスト比が最大になる条件はΩA1＝ΩA2である。ΩA1≧ΩA2の場合、式（９）よりコントラスト比はＣＲ＝Ωp／ΩA1であり、式（５）よりＩon＝ＩiΩA2／ΩA1である。従って、ΩA2＝ΩA1（＝Ωi）の時に出射光束強度Ｉonが最大となりる。この両者より、あるコントラスト比に対して最も出射光束強度が強くなる条件、およびある明るさにおいて最もコントラスト比が良くなる条件はΩA1＝ΩA2である。以上のように、光源側の絞りΩA1と出射側の絞りΩA2が一致することが最も特性をよくする条件となる。
【００３１】以上の最適条件下で考えた場合でも、表示の明るさＩon＝Ｉiは絞りの半径ｒと共に増加するが、コントラスト比ＣＲは逆に減少することが分かる。絞りの大きさを変えればＩonおよびＣＲを変えることができるが、これら２つは両立しないことが分かる。
【００３２】以上は定性的な考察であり、より詳細な考察は光学系の方式により個々に行なう必要があるが、明るさとコントラスト比がトレードオフしてしまうという基本的な振る舞いは、高分子分散型、微粒子分散型、あるいはＤＭＤ等の光の空間的な伝搬方向を変調する変調素子を使用した場合において共通である。
【００３３】本発明の表示装置は、映像を明るい場面ではより明るくし暗い場面ではより暗く表示することが可能であり、実効的なコントラスト比および明るさが向上する。これは、図３に示すように絞りの状態により表示特性が変化するためである。
図３において、絞りの状態は光変調素子の出射光束の中で絞りを通過する角度、すなわち集光角の形で示される。集光角が小さい場合には、表示が全体的に暗くなるが、特に黒表示の場合に暗くなるためにコントラスト比は良くなる。これに対して、集光角を大きくすると、白表示だけでなく、黒表示の部分もより明るくなって、コントラスト比が小さくなってしまう。これに対して、表示の明るさに対応して集光角を変えることで最大輝度と最小輝度を表示に利用できるようになる。
【００３４】また、明るい環境では、明るさを重視した表示特性を得るとことができ、暗い環境では黒レベルを重視した高コントラストの表示特性をすることができる。すなわち、図４に示すように、外部の明るさのために、表示スクリーンの明るさが常に一定以上である場合、黒レベルはそれよりも下がらないので、表示装置の出力光束が小さくなってもあまり意味を持たなくなる。従って、この場合には絞りを開けて明るさを重視した表示を行なうことで、環境も含めた全体の表示特性が良くなる。
【００３５】【実施例】
　以下、図面を参照して本発明の一実施例に係る投射型表示装置を説明する。
【００３６】図１はこの投射型表示装置の構成を示す。光学系に関し、投射型表示装置は、回転楕円型のミラー１０１、光源ランプ１０２、コンデンサレンズ１０３、電動絞り１０４、散乱型液晶パネル１０８、フィールドレンズ１０９、投射レンズ１１０、および電動絞り１１１を有する。ランプ１０２から得られた光は直接およびミラー１０１で反射してコンデンサレンズ１０３に入射する。コンデンサレンズ１０３はこの入射光を平行光線として散乱型液晶パネル１０８に入射させる。
　散乱型液晶パネル１０８は、高分子樹脂中に液晶材料が分散されて成る高分子分散型液晶層を光変調層として一対の透明電極基板間に備え、この光変調層により光の空間的な伝搬方向を映像信号に応じて変調する光変調素子として駆動回路１０７により駆動される。散乱型液晶パネル１０８からの変調光はフィールドレンズ１０９を介して投射レンズ１１０に入射する。投射レンズ１１０は入射光を反射型スクリーンＳＣに投射する。すなわち、この投射型表示装置の基本的な表示原理は従来と同様である。
【００３７】この表示装置の特徴は、二つの電動絞り１０４および１１１を持つことにある。絞り１０４はコンデンサレンズ１０３に入射する光線の光束を絞るために設けられ、電動絞り１１１は投射レンズ１１０から投射される光線の光束を絞るために設けられる。各電動絞りは制御回路１２０により制御される内蔵サーボモータを有し、このサーボモータの動作により絞りサイズ、すなわち開口部の形状が調整される。この開口部の形状は四角形あるいは円形等であってよく、特に好ましくは、図９（ａ）に示す円形としサーボモータによってその半径ｒを変化させる構造であるとよい。また、同図（ｂ）に示すようにサーボモータによって開口部の上部および下部が遮光される構造でもよい。この制御回路１２０は輝度信号平滑回路１４０からの入力信号Ａおよびデコーダ１２１からの入力信号Ｂに基づいて絞り１０４および１１１を動作させ、散乱型液晶パネル１０８に入射する光束分布および表示に寄与する出射光束角度範囲を制御する。デコーダ１２１は外部の赤外線リモコンから送信される制御信号を受信しこれをデコードすることにより信号Ｂを得る。
【００３８】図２は制御回路１２０の入力信号ＡおよびＢと絞りの集光角との関係を示す。
絞りの状態は散乱型液晶パネル１０８の出射光束の中で絞りを通過する角度、すなわち集光角として示される。絞り１１１の集光角は、８．６×１０-3ｓｒａｄから１．１×１０-3ｓｒａｄの範囲で可変されるように設定される。また、絞り１０４も同じ角度範囲の光束を散乱型液晶パネル１０８に入射させるように制御される。
【００３９】制御回路１２０の入力信号Ａは、映像信号に含まれる輝度信号の時間的平均強度であり、輝度信号平滑回路１４０により発生される。この輝度信号平滑回路１４０は図１に示されるように輝度信号のブランキングレベル（黒レベル）検出回路１４０ＡおよびＲＣ積分回路１４０Ｂにより構成される。積分回路１４０Ｂの時定数ＲＣは、抵抗Ｒを調整することにより変更できる。制御回路１２０の入力信号Ａはブランキングレベル（黒レベル）検出回路１４０Ａの出力（黒レベル）と輝度信号の差をＲＣ積分回路１４０Ｂにより平均化することにより得られる。
【００４０】制御回路１２０の入力信号Ｂは、赤外線リモコンからの制御信号をデコーダ１２１によりデコードすることにより得られる信号であり、この信号は赤外線リモコンにより任意の値に設定することができる。この信号は、図３に示すように、入力信号Ａの絞りに対する影響の強さを変化させるものであり。入力信号Ｂの値が充分小さくされると、絞りは集光角が最小の状態で入力信号Ａによらず一定となる。逆に、入力信号Ｂの値が充分大きくされると、絞りは集光角が最大の状態で入力信号Ａによらず一定となる。また、集光角を特定の値で固定する場合には、制御回路１２０に設けられる図示しない切り替えスイッチで入力信号Ａが図３に示す中間の信号固定値で一定となるように設定される。
【００４１】また、駆動回路１０７の特徴は、平滑回路１４０Ｂの出力信号を入力の一つとして、散乱型液晶パネルを駆動する電圧に補正をかけることである。この補正では、デコーダ１２１からのデコード信号から制御回路１２０の動作状態が検出され、この制御回路に同期して駆動信号の平均強度の変化が小さくなる方向に補正される。従って、集光角が小さくなることで本来暗い投射映像がさらに暗なる場合に、散乱型液晶パネルの明るさが逆に増大する方向に修正され、最終的に得られる投射映像において明るさの変動が緩和される。
【００４２】上述した構成の表示装置を暗室で表示動作させたところ、高分子分散液晶の特性が不十分なためにコントラスト比が集光角１．１×１０-3ｓｒａｄの場合で７０：１、８．６×１０-3ｓｒａｄの場合に１８：１のコントラスト比となった。また、白表示時の光量は、集光角１．１×１０-3ｓｒａｄの場合に１８ｌｍであり、８．６×１０-3ｓｒａｄの場合に７５ｌｍの表示であった。絞りが固定の場合には、充分なコントラスト比を得るために、集光角が最小となる１．１×１０-3ｓｒａｄの状態で絞りを使用する必要がある。これに対して、実施例のように可変である場合には、明るい場面で全体の明るさを上げられるので、表示の印象は劇的に改善された。特に、星座や月世界の映像を収録したビデオソフトを使用して表示動作を行った場合、星座の場面で背景の黒が引き締まり、絞りを固定している場合とはまったく異なる非常に良好な表示となる。また、平均的な明るさの変化と絞りの調整速度の関係に関し、絞り調整の時定数を０．５秒から１秒程度に設定したところ、不自然さをあまり感じさせることなく表示特性を改善できた。
【００４３】次に、５００ｌｕｘの室内にて反射ゲイン１３倍のスクリーンを用いて表示を行ったところ、室内光によるスクリーンの明るさがかなり気になる状態であり、集光角をほぼ最大の状態に設定したときに最も良い印象がえられた。この設定は、室内が充分暗い場合にはかえってコントラスト不足が気になってしまい、より集光角を小さくした場合に比べて悪い設定である。この実施例の表示装置を使用した場合、その使用環境の明るさが異なっても、表示特性を最適化して表示動作を行なえることが確認できた。
【００４４】人間の感覚は、明るい環境では、その明るさに対して暗い部分を黒として認識するので、明るい場面では黒表示に対する要求はあまり厳しくない。この場合は、コントラスト比よりもむしろ白部分が充分明るいことが重要である。
【００４５】逆に、暗い場面では、明るい黒と暗い黒との区別が明確になるよう暗さに対して感覚が敏感になる。白部分については、その周辺の黒部分との対比によりその明るさが強調されて見えるので、白部分の絶対的な明るさはあまり重要でない。
この場合、コントラスト比が良く、黒が充分暗く表示されることが要求される。
　この実施例の投射型表示装置は、人間の感覚を満足するよう表示特性を変更することが可能であり、かつ従来では得られなかったような表示特性も得ることができる。すなわち、充分なコントラスト比の下で実質的な明るさを向上させることができる。
【００４６】この投射型表示装置は時間帯あるいは場所等に依存した様々な環境で実際に使用されることになる。特に外光（室内の照明、窓の採光部）がスクリーンに作用してその明るさを決めるため、黒の映像部分は非常に影響を受け易い。すなわち、スクリーン周辺が明る過ぎると、表示装置からの出力光が良好なコントラスト比であっても、スクリーンに表示された映像のコントラストは低下する。従って、このような状態ではコントラスト比よりも明るさを優先した表示が行われる。また、充分暗い部屋等では、白表示が少々暗くてもしっかりと黒が沈んで見えるように表示が行われる。
【００４７】この実施例の投射型表示装置は、周囲環境の諸条件により黒表示と白表示とのどちらを優先するかを任意に選択可能である。さらに、この表示装置は上述した良好な表示性能を有するにもかかわらず低消費電力である。
【００４８】尚、上述した実施例では、反射型のスクリーンＳＣがフロント側で表示画像を見るために用いられたが、透過型のスクリーンがリア側で表示画像を見るために用いられてもよい。
【００４９】さらに、この実施例では、表示装置が光変調素子として設けられる散乱型液晶パネルの透過光を利用するように構成されたが、散乱型液晶パネルの反射光を利用するように構成されてもよい。この散乱型液晶パネルは高分子分散型液晶層の代わりに例えば微粒子分散型液晶層を光変調層として有するものでもよい。また、散乱型液晶パネルはＤＭＤ等の光変調素子に変更してもよい。
【００５０】【発明の効果】
　本発明によれば、スクリーン上に表示される映像のコントラスト比と明るさを適切に制御することができる。」
　
３．先願明細書に記載された発明（先願発明）
　先願明細書の段落【００３６】及び【００３７】の記載によれば、先願明細書には、回転楕円型のミラー１０１、光源ランプ１０２、コンデンサレンズ１０３、電動絞り１０４、散乱型液晶パネル１０８、フィールドレンズ１０９、投射レンズ１１０、および電動絞り１１１を有し、各電動絞りは制御回路１２０により制御される内蔵サーボモータの動作により絞りサイズが調整される投射型表示装置の発明が記載されているものと認められる。
　また、先願明細書の段落【００１８】の「実在するランプ５００の特徴の一つは、一点から光を放つような点発光体でないことである。すなわち、光は一定の面積を持ったランプの表面から放たれる。」との記載や段落【００３３】の「白表示」、「黒表示」等の記載からみて、光源ランプ１０２は、白色光を射出するものであると認められる。
　また、先願明細書の図１等からみて、回転楕円型のミラー１０１は光源ランプ１０２の射出光を集光するものであり、電動絞り１０４は光源ランプ１０２の射出光の集光点付近に配置されており、コンデンサレンズ１０３は電動絞り１０４の絞り開口を通過した光束を平行化するものであり、フィールドレンズ１０９は散乱型液晶パネル１０８の透過光を投射レンズ１１０の入射瞳に集光するものであり、投射レンズ１１０は散乱型液晶パネル１０８の画像を拡大透写するものであると認められる。
　また、段落【０００４】及び【０００５】等の記載からみて、散乱型液晶パネル１０８は透明と散乱の２状態に変化するものであると認められる。
　また、段落【００３８】の「絞りの状態は散乱型液晶パネル１０８の出射光束の中で絞りを通過する角度、すなわち集光角として示される。絞り１１１の集光角は、８．６×１０-3ｓｒａｄから１．１×１０-3ｓｒａｄの範囲で可変されるように設定される。また、絞り１０４も同じ角度範囲の光束を散乱型液晶パネル１０８に入射させるように制御される。」との記載や段落【００３０】の「以上のように、光源側の絞りΩA1と出射側の絞りΩA2が一致することが最も特性をよくする条件となる。」との記載からみて、
ΩA2＝ΩA1とされているものと認められる。
　ここで、立体角Ωは、図６を参照して段落【００２１】の（１）式で表されるものであるから、図１において、電動絞り１０４の径をａ、コンデンサレンズ１０３の焦点距離をｆ１、電動絞り１１１の径をｂ、フィールドレンズ１０９の焦点距離をｆ２とすれば、ΩA2＝ΩA1　とは、（ａ／ｆ１）＝（ｂ／ｆ２）と同等であることが理解される。
　
　以上のことから、先願明細書には、「白色光を射出する光源ランプ１０２と、前記光源ランプ１０２の射出光を集光する回転楕円型のミラー１０１と、前記光源ランプ１０２の射出光の集光点付近に配置した電動絞り１０４と、電動絞り１０４の絞り開口を透過した光束を平行化するコンデンサレンズ１０３と、透明と散乱の２状態に変化する散乱型液晶パネル１０８と、散乱型液晶パネル１０８の画像を拡大投写する投射レンズ１１０と、前記投射レンズ１１０の入射瞳上に前記ライトバルブの透過光を集光するフィールドレンズ１０９とを備え、前記電動絞り１０４の絞り径と電動絞り１１１の絞り径のサイズを調整する制御回路１２０を有し、前記電動絞り１０４の絞り径ａと、前記電動絞り１１１の絞り径ｂと、前記コンデンサレンズ１０３の焦点距離ｆ１と、前記フィールドレンズ１０９の焦点距離ｆ２との関係が、
　　　　（ａ／ｆ１）＝（ｂ／ｆ２）　　　　　　
となる絞り径を有する投射型表示装置。」の発明（以下、「先願発明」という。）が記載されているものと認められる。
　
４．対比・判断
　本願発明と先願発明を対比するに、先願発明の「光源ランプ１０２」、「回転楕円型のミラー１０１」、「電動絞り１０４」、「コンデンサレンズ１０３」、「散乱型液晶パネル１０８」、「投射レンズ１１０」、「フィールドレンズ１０９」、「電動絞り１１１」、「制御回路１２０」及び「投射型表示装置」が本願発明の「ランプ」、「楕円面鏡」、「照明系の絞り」、「コリメータレンズ」、「ライトバルブ」、「投写レンズ」、「フィールドレンズ」、「投写レンズの絞り」、「絞り開口径可変手段」及び「投写型表示装置」にそれぞれ相当することが明らかである。
　また、先願発明において、「前記電動絞り１０４の絞り径ａと、前記電動絞り１１１の絞り径ｂと、前記コンデンサレンズ１０３の焦点距離ｆ１と、前記フィールドレンズ１０９の焦点距離ｆ２との関係」は、（ａ／ｆ１）＝（ｂ／ｆ２）であり、これは、ａ＝ｂ・（ｆ１／ｆ２）ということに外ならないから、本願発明の「前記照明系の絞りａと、前記投写レンズの入射瞳径ｂと、前記コリメータレンズの焦点距離ｆ１と、前記フィールドレンズの焦点距離ｆ２との関係が、ａ≧ｂ・（ｆ１／ｆ２）」という条件を満たすものである。
　してみれば、本願発明は、先願発明と同一である。
　
５．むすび
　以上のとおり、本願発明は、本願出願日前の特許出願である特願平５−３３１７８６号の願書に最初に添付した明細書又は図面に記載された発明と同一である。
　また、先願発明の出願人又は発明者が本願発明の出願人又は発明者と同一の者でもない。
　そして、先願発明の内容は、特願平６−３３６８７０号の願書に最初に添付した明細書又は図面に記載され、特開平８−１０６０９０号として出願公開がなされているから、特許法第４１条第３項の規定により、本願発明に対して、特願平５−３３１７８６号を他の出願として特許法第２９条の２の規定が適用される。
　したがって、本願発明は、特許法第２９条の２の規定により、特許を受けることができない。
　よって、結論のとおり審決する。